(57)【要約】  【課題】  照明系統毎に設定された目標照度に応じた光出力を安定に制御可能であり、既存の照明系統に容易に設置することができる照明制御装置を提供する。  【解決手段】  複数の照明系統Ｇと、所定の照明系統に配置されて照度センサを有すると共に、複数の照明系統の調光を制御する照度センサ付き調光器Ｓ０と、照度センサ付き調光器が配置された照明系統以外の複数の照明系統に配置された複数の子機照度センサＳ１，Ｓ２と、照度センサ付き調光器は、照明系統の目標照度が同じ値である場合は、各照度センサにて検出した照度の平均照度にて照明系統の調光度を設定し、照明系統の目標照度が異なる場合は、照度センサそれぞれが検出した照度の比により照明系統それぞれの調光度を設定する調光度設定手段を有する照明制御装置。  【選択図】  図１
2006185736.tif 000002
【特許請求の範囲】
【請求項１】
一つ以上の照明器具からなる複数の照明系統と；
前記複数の照明系統内の所定の照明系統に配置されて照度を検出する照度センサ及び前記複数の照明系統の調光を制御する調光器を備えた照度センサ付き調光手段と；
前記照度センサ付き調光手段が配置された照明系統以外の複数の照明系統にそれぞれ配置され、配置された照明系統の照度を検出して前記照度センサ付き調光器へ出力する子機照度センサと；
前記照度センサ付き調光手段に設けられ、前記複数の照明系統の目標照度が同じ値である場合は、前記照度センサ付き調光手段と前記子機照度センサにて検出したそれぞれの照度から算出した平均照度を基に前記複数の照明系統の調光度を設定し、前記複数の照明系統の目標照度が異なる場合は、前記照度センサ付き調光手段と前記子機照度センサそれぞれが検出した照度及び各照明系統毎の目標照度とを基に前記複数の照明系統それぞれの調光度を設定する調光度設定手段と；
を具備することを特徴とした照明制御装置。
【請求項２】
前記調光度設定手段は、前記照度センサ付き調光手段にて検出した照度のみを用いて前記複数の照明系統の調光度を設定させる動作状態において、前記子機照度センサが検出した照度が入力された場合は、前記照度センサ付き調光手段と前記子機照度センサにて検出したそれぞれの照度から算出した平均照度を基に前記複数の照明系統の調光度を設定することを特徴とした請求項１記載の照明制御装置。
【請求項３】
前記調光度設定手段は、前記複数の照明系統の目標照度が異なる場合は、前記照度センサ付き調光手段と前記子機照度センサがそれぞれ検出した照度に応じて重み付けして平均照度を算出することを特徴とした請求項１記載の照明制御装置。
【請求項４】
前記調光度設定手段は、前記照度センサ付き調光手段と前記複数の子機照度センサにてそれぞれが検出した照度のうち、少なくとも１つの照度センサが照度検出した照明系統の調光度を設定し、この調光度を基に他の照明系統の調光範囲の制限値を設定する調光範囲設定手段を備えていることを特徴とした請求項１記載の照明制御装置。
【請求項５】
前記調光度設定手段は、前記照度センサ付き調光手段と前記子機照度センサにて検出した照度が所定値以下の場合は、照明系統の調光度設定から除外することを特徴とした請求項１乃至４のいずれかに記載の照明制御装置。
【発明の詳細な説明】
【技術分野】
【０００１】
本発明は、照明光の照射面の照度が略一定となるように複数の照明装置の光出力を制御する照明制御装置に関する。
【背景技術】
【０００２】
従来、照明光の照射面の照度が略一定となるように複数の照明装置の光出力を制御する照明制御装置において、天井面に取り付けられた照度センサにて、照明装置から照射された光や外光（例えば、窓から入射された太陽光）の床面、壁面、及び机上からの反射光を検出し、その検出した反射光に応じて照明装置を調光制御して床面や机上の照度を一定に保つようにされている。
【０００３】
この照明制御装置において、天井面に設けられた照度センサに、例えば、隣接建物の窓ガラスから反射した太陽光が直接入射したり、照度センサ直下に光反射率の高い白い紙などが置かれた場合には、照度センサが検出する照度が高くなるために、照明装置の光出力を低下させる方向に調光されてしまうことがある。このため、実際の机上や床面は設定照度以下となってしまう課題がある。
【０００４】
このように照度センサに外光や高い照度の光が直接入射された場合に、机上や床面の照度を略一定に保つ照明制御装置が、例えば、特許文献１に提案されている。
【０００５】
特許文献１に提案されている照明制御装置は、照明負荷と、周囲照度を検知する照度センサと、照度センサの検知出力に応じて照明負荷の光出力を制御する制御部とを有する照明器具を複数備えた照明制御装置において、各照明器具の光出力の変化幅は、各々の照明器具の光出力を基に互いに略同一なる方向に再設定する。再設定する変化幅の調光下限レベルと調光上限レベルの少なくとも一方は、再設定前の各照明器具の光出力のうちの最大値もしくは最小値の少なくとも一方から得られるようにしている。
【特許文献１】特開２０００−１３３４７１号公報
【発明の開示】
【発明が解決しようとする課題】
【０００６】
特許文献１に提案されている照明制御装置は、各々の照度センサが検知した照度に応じて照明負荷の光出力を制御する際に、光出力の変化幅を各々の照明器具の光出力を基に同一な方向に再設定している。即ち、光出力の変化幅を小さくして、光出力を平均値に近い範囲で制御している。
【０００７】
一方、照度を略一定にする方法としては、複数の照明負荷からなる複数の照明系統毎に照度センサを設けて、照度センサにて検知した照度を平均化して、複数の照明系統の照明負荷の光出力を制御することも行われている。各照度センサが検知した照度を平均化して複数の照明系統の照明負荷の光出力を制御する方法は、例えば、ある照明系統の照明器具を消灯させた場合、各々の照度センサが検知した照度を平均化するために、消灯されている照明系統を補うように、点灯されている照明系統の照明負荷の光出力を増大させる制御が行われることになる。
【０００８】
つまり、各々の照度センサが検知した照度を平均化して複数の照明系統の光出力を制御させる場合は、ある照明系統のみを他の照明系統と異なる光出力に制御することはできなかった。又、特許文献１に提案されている照明制御装置には、ある照明系統を他の照明系統と異なる光出力に設定する場合については開示されてないが、前述した各々の照度センサが検知した照度を平均化する方法と略同じ制御となるものと思われる。
【０００９】
即ち、従来の照明制御装置は、照明系統、又は照明領域に応じた目標照度を設定することができない課題があった。
【００１０】
本発明は、このような事情に鑑みてなされたもので、各照明系統又は照明領域毎に設定された目標照度に応じた照明器具からの光出力を安定に制御可能であると共に、既存の照明系統に容易に設置することができる照明制御装置を提供することを目的としている。
【課題を解決するための手段】
【００１１】
請求項１の本発明の照明制御装置は、一つ以上の照明器具からなる複数の照明系統と；前記複数の照明系統内の所定の照明系統に配置されて照度を検出する照度センサ及び前記複数の照明系統の調光を制御する調光器を備えた照度センサ付き調光手段と；前記照度センサ付き調光手段が配置された照明系統以外の複数の照明系統にそれぞれ配置され、配置された照明系統の照度を検出して前記照度センサ付き調光器へ出力する子機照度センサと；前記照度センサ付き調光手段に設けられ、前記複数の照明系統の目標照度が同じ値である場合は、前記照度センサ付き調光手段と前記子機照度センサにて検出したそれぞれの照度から算出した平均照度を基に前記複数の照明系統の調光度を設定し、前記複数の照明系統の目標照度が異なる場合は、前記照度センサ付き調光手段と前記子機照度センサそれぞれが検出した照度及び各照明系統毎の目標照度とを基に前記複数の照明系統それぞれの調光度を設定する調光度設定手段と；を具備することを特徴としている。
【００１２】
請求項２の本発明の照明制御装置は、請求項１の照明制御装置において、前記調光度設定手段は、前記照度センサ付き調光手段にて検出した照度のみを用いて前記複数の照明系統の調光度を設定させる動作状態において、前記子機照度センサが検出した照度が入力された場合は、前記照度センサ付き調光手段と前記子機照度センサにて検出したそれぞれの照度から算出した平均照度を基に前記複数の照明系統の調光度を設定することを特徴としている。
【００１３】
請求項３の本発明の照明制御装置は、請求項１の照明制御装置において、前記調光度設定手段は、前記複数の照明系統の目標照度が異なる場合は、前記照度センサ付き調光手段と前記子機照度センサがそれぞれ検出した照度に応じて重み付けして平均照度を算出することを特徴としている。
【００１４】
請求項４の本発明の照明制御装置は、請求項１の照明制御装置において、前記調光度設定手段は、前記照度センサ付き調光手段と前記子機照度センサにてそれぞれが検出した照度のうち、少なくとも１つの照度センサが照度検出した照明系統の調光度を設定し、この調光度を基に他の照明系統の調光範囲の制限値を設定する調光範囲設定手段を備えていることを特徴としている。
【００１５】
請求項５の本発明の照明制御装置は、請求項１乃至４のいずれかの照明制御装置のおいて、前記調光度設定手段は、前記照度センサ付き調光終段と前記子機照度センサにて検出した照度が所定値以下の場合は、照明系統の調光度設定から除外することを特徴としている。
【００１６】
本発明において用語の定義及び技術的意味は次による。
【００１７】
照明系統は、照明ランプ、点灯回路、及び反射傘などからなる照明器具を一つ以上有する照明領域毎に区分して天井面に複数配置させ、照明領域毎の複数の照明器具を同一条件にて点灯調光制御する系列である。
【００１８】
照度センサ付き調光手段は、照明器具からの光により照明される机上、床面、又は壁面から反射光の照度を検出する照度センサと、照度センサが検出した照度を基に、照明系統の調光を制御する調光器とが一体的に形成されている照度付き調光器である。又、子機照度センサは、反射光の照度を検出する機能のみを有している。つまり、照度センサ付き調光器の調光器には、自らの照度センサと子機照度センサが検出した照度が入力されると共に、入力された照度を基に複数の照明系統それぞれを調光制御するのものである。なお、照度センサ付き調光器には、照度センサ付き調光器の照度センサと子機照度センサがそれぞれ検出した照度の基で、複数の照明系統の調光度を設定するための調光度設定手段を有している。
【００１９】
目標照度は、照明系統毎に操作者によって設定される照度あり、照度センサ付き調光器の各照明系統毎の調光制御手段に対してリモートコントロール等にて目標照度となる調光度を設定する。
【００２０】
照度の重み付とは、目標照度が照明系統によって異なる場合に、ある照明系統の照度センサが検出した照度を基準にして、他の照明系統の調光度を設定する際に、ある照明系統の照度センサが検出した照度と他の照明系統の照度センサが検出した照度の比により照度に重み付けすることである。
【００２１】
調光範囲は、照明器具の調光度の最大値（１００）から最小値（０）の範囲の内、調光が最も顕著に制御できる範囲、例えば、調光度８０〜３０の範囲である。
【００２２】
照度の所定値とは、外光による反射光の有無に拘わらず、照明器具からの光による反射光の照度が検出できる最低照度である。
【発明の効果】
【００２３】
本発明の照明制御装置は、照明系統毎に設定された目標照度に応じて安定した調光制御が行え、かつ、既存の照明系統にも容易に設置することができる効果を有している。
【発明を実施するための最良の形態】
【００２４】
以下、図面を参照して本発明の実施の形態について詳細に説明する。本発明の一実施形態の照明制御装置の構成について図１を用いて説明する。
【００２５】
本発明の一実施形態の照明制御装置は、図１に示すように、例えば、建物のあるフロアのそれぞれの照明領域を照明するための照明器具１ａ，１ｂ，２ａ，２ｂ，３ａ，３ｂが天井面に設けられている。なお、照明器具１ａ，１ｂ，２ａ，２ｂ，３ａ，３ｂは、単一の照明器具、もしくは、それぞれ複数の照明器具からなっている。
【００２６】
照明器具１ａ，１ｂは、例えば、フロアの中央部分を照明領域として同一条件で調光制御される照明系統グループ１（以下、照明系統Ｇ１と称する）、照明器具２ａ，２ｂはフロアの窓側部分を照明領域として同一条件で調光制御される照明系統グループ２（以下、照明系統Ｇ２と称する）、及び照明器具３ａ，３ｂはフロアの壁面側部分を照明領域として同一条件で調光制御される照明系統グループ３（以下、照明系統Ｇ３と称する）とする。
【００２７】
なお、照明系統Ｇ１はフロアの中央部分を照明領域、照明系統Ｇ２はフロアの窓側部分を照明領域、照明系統Ｇ３はフロアの廊下部分、又は仕切壁にて仕切られた会議室部分を照明領域としても良い。
【００２８】
照明系統Ｇ１の照明器具１ａ，１ｂの近傍には、照明系統Ｇ１の照明領域からの反射光の照度を検出する照度センサを有すると共に、照明系統Ｇ１乃至照明系統Ｇ３のそれぞれの照明器具１ａ，１ｂ，２ａ，２ｂ，３ａ，３ｂを調光制御する調光器を有する照度センサ付き調光器Ｓ０（以下、親機Ｓ０と称する）が設けられている。照明系統Ｇ２の照明器具２ａ，２ｂと照明系統Ｇ３の照明器具３ａ，３ｂの近傍には、それぞれの照明領域Ｇ２，Ｇ３からの反射光の照度を検出する照度センサＳ１，Ｓ２（以下、子機照度センサＳ１，Ｓ２と称する）がそれぞれ設けられている。親機３０の照度センサと子機照度センサＳ１，Ｓ２にて検出した照度は、親機Ｓ０の調光器に供給される。
【００２９】
親機Ｓ０の調光器は、図示してないが、親機Ｓ０の照度センサと子機照度センサＳ１，Ｓ２から供給された照度を基に照明系統Ｇ１〜Ｇ３の調光度を設定し、照明系統Ｇ１〜Ｇ３の各照明器具１ａ，１ｂ，２ａ，２ｂ，３ａ，３ｂの調光制御を行う調光度設定手段が設けられている。また、親機Ｓ０の調光器は、図示してないリモートコントロール等により照明系統Ｇ１〜Ｇ３それぞれの目標の光出力、つまり、照明領域の目標照度が操作者によって設定できるようになっている。
【００３０】
即ち、親機Ｓ０の調光器は、操作者がリモートコントロール等にて設定した照明系統Ｇ１〜Ｇ３それぞれの目標照度となるように照度センサにて検出した照度を用いて調光制御する調光度設定手段を有している。
【００３１】
又、本発明の一実施形態の照明制御装置は、既存の照明系統Ｇ１〜Ｇ３に対して、親機Ｓ０と子機照度センサＳ１，Ｓ２を設けることで調光制御可能な照明制御装置が構築できる。
【００３２】
次に、本発明の一実施形態の照明制御装置の親機Ｓ０の調光器に設けられている調光度設定手段について、図２乃至図５を用いて説明する。親機Ｓ０の調光器に設けられる調光度設定手段は、照明系統Ｇ１〜Ｇ３の目標照度が同じ場合と、照明系統Ｇ１〜Ｇ３のいずれかの目標照度が異なる場合の調光制御方法を有する。
【００３３】
最初に、照明系統Ｇ１〜Ｇ３の目標照度が同じで、かつ、親機Ｓ０の調光器は、親機Ｓ０の照度センサが検出した照度のみを用いて照明系統Ｇ１〜Ｇ３を調光制御する動作状態の場合について、図２を用いて説明する。
【００３４】
照明系統Ｇ１〜Ｇ３の目標照度が同じ、図２に示すように、例えば、親機Ｓ０の照度センサが検出した照明系統Ｇ１の照度１０００レックス（Ｌｘ）、子機照度センサＳ１が検出した照明系統Ｇ２の照度１０００Ｌｘ、及び子機照度センサＳ２が検出した照明系統Ｇ３の照度８００Ｌｘを検出して、検出された照度値が親機Ｓ０の調光器に供給されたとする。しかし、親機Ｓ０の調光器は、親機Ｓ０の照度センサが検出した照度１０００Ｌｘのみを用いて照明領域Ｇ１〜Ｇ３の調光を制御する動作状態に設定されている。このため、親機Ｓ０の調光器は、親機Ｓ０の照度センサが検出した照度１０００Ｌｘを基に照明系統Ｇ１〜Ｇ３の調光度を設定して同一調光となるように調光制御される。
【００３５】
つまり、照明系統Ｇ１〜Ｇ３は、照度１０００Ｌｘとなるようにそれぞれの調光度が設定される。
【００３６】
次に、照明系統Ｇ１〜Ｇ３の目標照度が同じで、かつ、親機Ｓ０の調光器は、親機Ｓ０の照度センサと子機照度センサＳ１，Ｓ２が検出した照度により照明系統Ｇ１〜Ｇ３の調光制御する動作状態の場合について、図３を用いて説明する。
【００３７】
照明系統Ｇ１〜Ｇ３の目標照度が同じで、図３に示すように、例えば、親機Ｓ０の照度センサが検出した照明系統Ｇ１の照度１０００Ｌｘ、子機照度センサＳ１が検出した照明系統Ｇ２の照度１０００Ｌｘ、及び子機照度センサＳ２が検出した照明系統Ｇ３の照度８００Ｌｘを検出して、検出された照度値が親機Ｓ０の調光器に供給されたとする。親機Ｓ０の調光器は、親機Ｓ０の照度センサと子機照度センサＳ１，Ｓ２がそれぞれが検出した照度の値を平均化（Ｘ）した平均照度を算出し、その平均照度を基に各照明系統Ｇ１〜Ｇ３の調光度を設定する。これにより、照明系統Ｇ１〜Ｇ３は、平均化された照度を基に算出された同一調光度により調光制御される。
【００３８】
一方、図２を用いて説明した操作者が親機Ｓ０の調光器による各照明系統Ｇ１〜Ｇ３の調光を親機Ｓ０の照度センサのみが検出した照度を用いて行うよう操作者が設定したつもりが、設定ミスにより親機Ｓ０の調光器に子機照度センサＳ１，Ｓ２の検出照度も供給される場合もある。
【００３９】
この場合、図３を用いて説明した、親機Ｓ０の調光器にて、親機Ｓ０の照度センサと子機照度センサＳ１，Ｓ２がそれぞれ検出した照明系統Ｇ１〜Ｇ３の照度を平均化して調光制御することで照明系統Ｇ１〜Ｇ３の安定した調光制御が行える。
【００４０】
これは、既存の照明系統Ｇ１〜Ｇ３に親機Ｓ０と子機照度センサＳ１，Ｓ２を設置して照明制御装置を形成した際の親機Ｓ０の調光器の設定ミスを確実にカバーすることができる効果を有している。
【００４１】
なお、照明領域Ｇ１〜Ｇ３の目標照度が同じに設定されている状態において、例えば、照明系統Ｇ３が消灯状態である場合は、照明系統Ｇ３の子機照度センサＳ２が検出する照度は外光等による非常の低い照度値となる。そこで、親機Ｓ０の調光器は、所定の照度値以下の照明系統Ｇ３の検出照度を除いて、照明系統Ｇ１，Ｇ２の照度を検出した親機Ｓ０の照度センサと子機照度センサＳ１からの照度値を用いて平均化して、照明系統Ｇ１，Ｇ２のみ調光制御させる。この結果、消灯状態の照明系統Ｇ３を補う調光制御を行うことなく、点灯状態のＧ１，Ｇ２の調光が可能となる。
【００４２】
次に、操作者により照明系統Ｇ１〜Ｇ３それぞれの目標照度が異なる場合の親機Ｓ０の調光器の調光度設定手段による調光度設定について、図４と図５を用いて説明する。
【００４３】
親機Ｓ０の調光器は、照明系統Ｇ１，Ｇ２は例えば執務場所で同じ明るさに設定され、照明系統Ｇ３は例えば、廊下で照明系統Ｇ１，Ｇ２よりも暗く設定されていたとする。こ目標照度に設定された状態において、親機Ｓ０の調光器は、執務場所を基準として、それぞれの照明系統Ｇ１〜Ｇ３の平均化制御を行う。照明系統Ｇ１〜ｇ３はそれぞれの目標照度に設定されている状態において、図４に示すように、親機Ｓ０の照度センサは照明系統Ｇ１の照度１０００Ｌｘを検出し、子機照度センサＳ１は照明系統Ｇ２の照度１０００Ｌｘを検出し、及び子機照度センサＳ２は照明系統Ｇ３の照度８００Ｌｘを検出して、それぞれの照度が親機Ｓ０の調光器に供給される。親機Ｓ０の調光器は、執務室の照度を基準とするために、親機Ｓ０の照度センサと子機照度センサＳ１から供給された検出照度を平均化（Ｘ）して平均照度の状態の調光度を求める。この求められた調光度が５０％（つまり、照明系統Ｇ１，Ｇ２の平均照度１０００Ｌｘの時の調光度）であるとする。親機Ｓ０の調光器は、照明系統Ｇ１，Ｇ２の平均照度と調光度５０％を基に、照明系統Ｇ３の調光度を算出する。照明系統Ｇ３の調光度の算出は、照明系統Ｇ１，Ｇ２の平均照度と照明系統Ｇ３の照度比に照明系統Ｇ１，Ｇ２の調光度を乗算する（Ｇ３照度／Ｇ１，Ｇ２の平均照度×Ｇ１，Ｇ２調光度＝８００Ｌｘ／１０００Ｌｘ×５０％＝４０％）。この算出結果から、親機Ｓ０の調光器は、照明系統Ｇ１，Ｇ２は５０％調光、照明系統Ｇ３は４０％調光を行う。つまり、執務室の照明系統Ｇ１，Ｇ２の照度と、廊下の照明系統Ｇ３の照度との比によりそれぞれの調光度を設定する。
【００４４】
次に、図５を用いて廊下である照明系統Ｇ３の照度を基準にして、照明系統Ｇ１〜Ｇ３の平均調光制御について説明する。なお、照明系統Ｇ１〜Ｇ３の明るさ設定と検出照度は、図４と同じとする。
【００４５】
基準とする照明系統Ｇ３の照度８００Ｌｘの調光度を４０％であるとする。親機Ｓ０の調光器は、照明系統Ｇ３の照度８００Ｌｘの時の調光度４０％を基に、照明系統Ｇ１，Ｇ２の調光度を算出する。照明系統Ｇ１，Ｇ２の調光度の算出は、照明系統Ｇ３の照度８００Ｌｘと照明系統Ｇ１，Ｇ２のそれぞれの照度１０００Ｌｘとの比に照明系統Ｇ３の調光度４０％を乗算する（Ｇ１又はＧ２照度／Ｇ３の照度×Ｇ３調光度＝１０００Ｌｘ／８００Ｌｘ×４０％＝５０％）。この算出結果から、親機Ｓ０の調光器は、照明系統Ｇ１，Ｇ２は５０％調光、照明系統Ｇ３は４０％調光を行う。
【００４６】
なお、ある照明系統の調光度を基準として他の照明系統の調光度を設定することは、照明器具の調光度の最大値（１００）から最小値（０）の範囲の内、調光が最も顕著に制御できる範囲、例えば、調光度８０〜３０の範囲での調光制御が可能となる。
【００４７】
つまり、照明系統に異なる目標照度が設定されている場合、照明系統毎に検出された照度に比較して照度に重み付けすることにより、それぞれの照明系統の目標照度での調光が可能となる。
【００４８】
以上説明したように、本発明の一実施形態の照明制御装置は、照明系統の目標照度が同じの場合に、照明系統毎に検出した照度を平均化することで、安定した調光制御が可能となる。又、目標照度が異なる照明系統がある場合には、基準照明系統の照度と他の照明系統の照度の重み付けにより照明系統の目標照度に応じた最適調光が可能となる。
【００４９】
なお、上述において、照明系統Ｇ１〜Ｇ３それぞれには、照明器具１ａ，１ｂ，２ａ，２ｂ，３ａ，３ｂが設けられ、各照明器具１ａ，１ｂ，２ａ，２ｂ，３ａ，３ｂは、単一または複数の照明器具の例を用いて説明したが、各照明系統Ｇ１〜Ｇ３は、複数の照明器具を有する必要はなく一つの照明器具でも良く、同一条件にて点灯、消灯及び調光の操作制御する対象の範囲を示している。
【図面の簡単な説明】
【００５０】
【図１】本発明の一実施形態の照明制御装置の全体構成を示すブロック図。
【図２】本発明の一実施形態の照明制御装置における照明系統の目標照度が同じ場合の第１の調光制御の作用を説明する説明図。
【図３】本発明の一実施形態の照明制御装置における照明系統の目標照度が同じ場合の第２の調光制御の作用を説明する説明図。
【図４】本発明の一実施形態の照明制御装置における照明系統の目標照度が異なる場合の第１の調光制御の作用を説明する説明図。
【図５】本発明の一実施形態の照明制御装置における照明系統の目標照度が異なる場合の第２の調光制御の作用を説明する説明図。
【符号の説明】
【００５１】
１〜３…照明器具、Ｇ…照明系統グループ、Ｓ０…照度センサ付き調光器（親機）、Ｓ１，Ｓ２…子機照度センサ。
【００５２】
代理人  弁理士  伊藤  進
【図１】
2006185736.tif 000003
【図２】
2006185736.tif 000004
【図３】
2006185736.tif 000005
【図４】
2006185736.tif 000006
【図５】
2006185736.tif 000007